(57)【要約】【課題】本発明は、構造が簡単で、ロータの動釣り合いの検知の精度と校正を向上することができる動釣り合い検知装置を提供することを目的とする。【解決手段】本発明の動釣り合い検知装置は、支柱、シャフト、振動感知器、回転感知器、検知器及び制御器を備える。支柱は垂直に平台に固定され、平台及び支柱は、大理石によって製造され、シャフトは支柱に設置されて、ロータを駆動させ且つ回転させ、振動感知器はシャフトに設置され、回転感知器はシャフトに近接して支柱に設置され、検知器は平台に設置され、制御器はシャフト、振動感知器、回転感知器及び検知器と電気的に接続され、且つ振動感知器が感知された振動量及び回転感知器が感知された回転速度を受信し、且つ振動量と回転速度によって、ロータの動釣り合い量が所定の許容範囲内であるかどうかを判断し、且つロータの校正量を計算する。【選択図】図１
2014182128.tif 000002
【特許請求の範囲】
【請求項１】
ロータの動釣り合いを検知して校正し、且つ平台、支柱、シャフト、振動感知器、回転感知器、検知器及び制御器を備える動釣り合い検知装置において、
前記支柱は、垂直に前記平台に固定され、前記平台及び前記支柱は、それぞれ大理石によって製造され、前記シャフトは、前記支柱に設置されて、前記ロータを駆動させ、且つ回転させ、前記振動感知器は、前記シャフトに設置され、前記回転感知器は、前記シャフトと近接して前記支柱に設置され、前記検知器は、前記平台に設置され、前記制御器は、前記シャフト、前記振動感知器、前記回転感知器及び前記検知器と電気的に接続され、且つ前記振動感知器が感知した前記シャフトの振動量及び前記回転感知器が感知した前記シャフトの回転速度を受信し、且つ前記振動量及び前記回転速度によって、前記ロータの動釣り合い量が所定の許容範囲内であるかどうかを判断し、且つ前記ロータの校正量を計算することを特徴とする動釣り合い検知装置。
【請求項２】
前記支柱は、固定部及び前記固定部の一端から湾曲して延在された取り付け部を備え、前記固定部の前記取り付け部と離れている一端は、前記平台と垂直に接続され、前記シャフトは、前記取り付け部に固定されることを特徴とする請求項１に記載の動釣り合い検知装置。
【請求項３】
前記支柱は、２つの補強部を備え、前記２つの補強部は、前記固定部の前記取り付け部と離れている一端に互いに相対して設置され、且つ前記平台に固定されることを特徴とする請求項２に記載の動釣り合い検知装置。
【請求項４】
各補強部は、第一設置部、第二設置部及び第三設置部を備え、前記第一設置部は、前記第二設置部と垂直に接続され、この際、前記第一設置部は、前記平台に固定され、前記第二設置部は、前記固定部に固定され、前記第三設置部は、前記第一設置部及び前記第二設置部に垂直に接続されることを特徴とする請求項３に記載の動釣り合い検知装置。
【請求項５】
前記動釣り合い検知装置は、更に前記支柱に固定された取り付け部材を備え、前記取り付け部材には、１つの固定孔が設けられ、前記シャフトは、駆動部及び回転部を備え、前記駆動部は、前記固定孔を通過し、且つ前記取り付け部材に固定され、前記駆動部の外表面は、前記固定孔の内表面と緊密に固定されることを特徴とする請求項１に記載の動釣り合い検知装置。
【請求項６】
前記動釣り合い検知装置は、更に支持台を備え、前記平台は、前記支持台に設置され、前記支柱は、前記平台の前記支持台と隣接する一面に位置することを特徴とする請求項１に記載の動釣り合い検知装置。
【請求項７】
前記支持台は、主体及び４つの移動部材を備え、前記平台は、前記主体に設置され、前記４つの移動部材は、前記平台と離れて、前記主体に間隔をあけて設置されることを特徴とする請求項６に記載の動釣り合い検知装置。
【請求項８】
各移動部材は、接続部、キャスター及び支持部を備え、前記接続部は、前記主体の前記平台と離れている底面に固定され、前記キャスターは、前記接続部に回転可能に設置され、前記支持部は、前記キャスターと隣接して前記接続部に設置されることを特徴とする請求項７に記載の動釣り合い検知装置。
【発明の詳細な説明】
【技術分野】
【０００１】
本発明は、動釣り合い検知装置に関するものである。
【背景技術】
【０００２】
回転する機械及び部品において、ロータの振動は、機械の寿命、信頼度、回転機能、加工精度等に多大な影響を与える。このロータの振動は、材質の不均一、加工や取り付けの際に生じる誤差、自身における構造の問題等が原因で、ロータがアンバランスとなって発生する。動釣り合い検知装置は、ロータの振動及び一定のバランスアルゴリズムによって、ロータのアンバランスの大きさと位置を確認し、且つ対応する位置に対して、ウエイトを増やす或いは減らすことで、バランスを保つことができる。しかし、従来の動釣り合い検知装置は、構造が複雑で、且つ自身の振動も大きいため、ロータの動釣り合い検知の精度及び校正に影響を与える。
【発明の概要】
【発明が解決しようとする課題】
【０００３】
以上の問題点に鑑みて、本発明は、構造が簡単で、ロータの動釣り合いの検知の精度及び校正を向上させることができる動釣り合い検知装置を提供することを目的とする。
【課題を解決するための手段】
【０００４】
上記の課題を解決するために、本発明の動釣り合い検知装置は、ロータの動釣り合いを検知して校正し、且つ平台、支柱、シャフト、振動感知器、回転感知器、検知器及び制御器を備える。前記支柱は、垂直に前記平台に固定され、前記平台及び前記支柱は、それぞれ大理石によって製造され、前記シャフトは、前記支柱に設置されて、前記ロータを駆動させ、且つ回転させ、前記振動感知器は、前記シャフトに設置され、前記回転感知器は、前記シャフトに近接して前記支柱に設置され、前記検知器は、前記平台に設置され、前記制御器は、前記シャフト、前記振動感知器、前記回転感知器及び前記検知器と電気的に接続され、且つ前記振動感知器が感知された前記シャフトの振動量及び前記回転感知器が感知した前記シャフトの回転速度を受信し、且つ前記振動量及び前記回転速度によって、前記ロータの動釣り合い量が所定の許容範囲内であるかどうかを判断し、且つ前記ロータの校正量を計算する。
【発明の効果】
【０００５】
本発明の動釣り合い検知装置の平台と支柱とは、減振効果に優れた大理石によって製造される。これにより、シャフトの回転によって生成された動釣り合い検知装置の振動は、支柱と平台に吸収されるため、減振でき、且つ動釣り合い検知装置の検測量及び校正の精度を向上させることができる。
【図面の簡単な説明】
【０００６】
【図１】本発明に係る動釣り合い検知装置の斜視図である。
【発明を実施するための形態】
【０００７】
以下、図１に基づいて、本発明に係る動釣り合い検知装置について詳細に説明する。図１に示したように、動釣り合い検知装置１００は、ロータ２００の動釣り合いを検知し、且つ校正する。本実施形態において、ロータ２００は、バイトホルダである。動釣り合い検知装置１００は、支持台１０、平台２０、支柱３０、取り付け部材４０、シャフト５０、振動感知器６０、回転感知器７０、検知器８０及び制御器９０を備える。平台２０は、支持台１０に固定され、支柱３０は、平台２０に対して垂直に固定される。シャフト５０は、取り付け部材４０を介して支柱３０に設置され、ロータ２００は、シャフト５０の平台２０に近接する一端に取り付けられ、シャフト５０は、ロータ２００を駆動させて、ロータ２００を高速で回転させる。振動感知器６０は、シャフト５０の側面に設置されて、シャフト５０の振動量を感知する。回転感知器７０は、支柱３０上に且つシャフト５０に隣接するように設置されて、シャフト５０の回転速度を検知する。検知器８０は、振動感知器６０が感知したシャフト５０の振動量のデータ及び回転感知器７０が感知したシャフト５０の回転データを受信し、且つ分析及び計算を行って、ロータ２００の校正量を取得して該校正量を表示する。制御器９０は、シャフト５０、振動感知器６０、回転感知器７０及び検知器８０と電気的に接続されて、シャフト５０、振動感知器６０、回転感知器７０及び検知器８０の実行を制御する。また、平台２０は、支柱３０と共に減振効果に優れた大理石によって製造されるため減振効果を向上させることできる。
【０００８】
支持台１０は、主体１１と、主体１１に互いに間隔をあけて設置された４つの移動部材１３とを備える。各主体１１は、矩形状のフレームの形態とされ、平台２０及び動釣り合い検知装置１００の他の構造を支持する。各移動部材１３は、接続部１３１、車輪１３３及び支持部１３５を備える。接続部１３１は、主体１１の底部に固定される。キャスター１３３は、接続部１３１と回転可能に設置されているため、動釣り合い検知装置１００を容易に移動させることができる。支持部１３５は、キャスター１３３に隣接するように接続部１３１に設置され、支持台１０を支持する。平台２０は、矩形状の形態とされ、主体１１の移動部材１３と離れている一端に設置されている。
【０００９】
支柱３０は、Ｌ状の形態とされ、固定部３１、取り付け部３３及び２つの補強部３７を備える。固定部３１は、平台２０に対して垂直に接続される。取り付け部３３は、固定部３１の平台２０と離れている一端から平台２０に対して略垂直に湾曲して延在している。２つの補強部３７は、固定部３１の取り付け部３３と離れている一端に相対して且つ平台２０上に固定される。各補強部３７は、第一設置部３７１、第二設置部３７３及び２つの第三設置部３７５を備える。第一設置部３７１は、第二設置部３７３に垂直に接続され、且つ平台２０上に固定され、第二設置部３７３は、固定部３１に固定される。２つの第三設置部３７５は、互いに平行になるように第一設置部３７１の両端に設置される。第三設置部３７５は、直角三角形状の形態とされ、２つの直角三角の周辺部（つまり、底辺部及び高さ部）は、それぞれ第一設置部３７１及び第二設置部３７３に垂直に接続される。
【００１０】
取り付け部材４０は、スリーブ状の形態とされ、取り付け部３３の固定部３１と離れている一端に固定される。取り付け部材４０は、軸方向に沿って貫通された固定孔４１が設けられている。
【００１１】
シャフト５０は、固定孔４１を通過した後に、取り付け部材４０に固定される。シャフト５０は、支柱３０の固定部３１に対して平行に配置され、且つ互いに対向するように設置された駆動部５１及び回転部５３を備える。駆動部５１は、固定孔４１を通過し、且つ取り付け部材４０に固定される。駆動部５１の形状及び大きさは、固定孔４１と対応して、駆動部５１の外表面が固定孔４１の内表面に緊密に固定されるため、シャフト５０の回転によって生成された動釣り合い検知装置１００の振動は、支柱３０と平台２０に吸収されて、減振することができる。回転部５３は、平台２０に向けて設置されて、ロータ２００を挟み、且つ駆動部５１の駆動下で、ロータ２００と連動して高速回転する。
【００１２】
振動感知器６０の一端は、回転部５３の外表面に設置されて、シャフト５０の振動量を感知する。回転感知器７０は、固定支持台（図示せず）を介して、支柱３０上に且つシャフト５０の一側に近接して設置されて、ロータ２００の回転の速度を検知する。本実施形態において、回転感知器７０は、レーザセンサである。
【００１３】
検知器８０は、振動感知器６０が感知して取得したシャフト５０の振動量のデータ及び回転感知器７０が感知して取得したシャフト５０の回転速度のデータを受信し、且つ表示して、ロータ２００の動釣り合い量が、所定の許容範囲内であるかどうかを判断する。所定の許容範囲内にない場合には、検知器８０は、ロータ２００の校正量を計算し、且つ校正量を表示する。制御器９０は、シャフト５０、振動感知器６０、回転感知器７０及び検知器８０と電気的に接続されて、シャフト５０、振動感知器６０、回転感知器７０及び検知器８０の作動を制御する。
【００１４】
動釣り合い検知装置１００を利用する際、先ず、ロータ２００を回転部５３に挟んで固定する。シャフト５０の回転部５３には１つの記号（図示せず）が形成されており、回転感知器７０は、該記号を照射して、シャフト５０の回転速度を感知する。シャフト５０は、ロータ２００と連動して回転し、振動感知器６０は、シャフト５０の振動量を感知し、且つ該データを検知器８０に送り、回転感知器７０は、シャフト５０の回転速度を感知し、且つ該データを検知器８０に送る。次に、検知器８０は、振動感知器６０及び回転感知器７０が送ったデータを受信した後分析して、ロータ２００の動釣り合いの校正量を計算する。作業者は、検知器８０が取得したロータ２００の動釣り合いの校正量によって、ロータ２００に対応する校正部（図示せず）に取り付けるウエイト或いはロータ２００から対応するウエイトを減らす。次に、ロータ２００に対して、ロータ２００が予備標準に達するまで、動釣り合い量を検知し、且つロータ２００に対応する校正部を取り付ける或いはロータ２００から対応するウエイトを減らす。
【００１５】
本発明の動釣り合い検知装置１００のシャフト５０は、ロータ２００を駆動させて高速回転し、検知器８０は、振動感知器６０が感知したシャフト５０の振動量及び回転感知器７０が感知したシャフト５０の回転速度を分析して、ロータ２００のアンバランス量を計算する。これにより、構造が簡単であり、操作に便利である。また、平台２０及び支柱３０は、減振効果に優れた大理石によって製造され、シャフト５０は、取り付け部材４０を介して、支柱３０に設置され、且つシャフト５０の駆動部５１の外表面は、固定孔４１の内表面と緊密に固定されるため、シャフト５０の回転によって生成された動釣り合い検知装置１００の振動は、支柱３０と平台２０に吸収される。従って減振でき、且つ動釣り合い検知装置１００の検知量及び校正の精度を向上させることができる。
【００１６】
他の実施形態において、動釣り合い検知装置１００は、支持台１０を省略して、平台２０を板等に取り付けてもよい。
【００１７】
他の実施形態において、動釣り合い検知装置１００は、取り付け部材４０を省略して、シャフト５０の駆動部５１を、直接支柱３０の取り付け部３３に固定してもよい。
【符号の説明】
【００１８】
１  電子装置
１００  動釣り合い検知装置
２００  ロータ
１０  支持台
１１  主体
１３  移動部材
１３１  接続部
１３３  キャスター
１３５  支持部
２０  平台
３０  支柱
３１  固定部
３３  取り付け部
３７  補強部
３７１  第一設置部
３７３  第二設置部
３７５  第三設置部
４０  取り付け部材
４１  固定孔
５０  シャフト
５１  駆動部
５３  回転部
６０  振動感知器
７０  回転感知器
８０  検知器
９０  制御器
【図１】
2014182128.tif 000003